(57)【要約】【課題】内部電源ハーネスの挟み込みを防止するとともに、内部電源ハーネスと発熱する後付け部品との接触を防止することができるパチンコ遊技機及びそのハーネスカバーを提供する。【解決手段】本発明のパチンコ遊技機１は、外枠３８に対して開閉可能に設置されるベースドア部材３９と、ベースドア部材３９の背面に配置された電源ユニット３７と、電源ユニット３７に外部から電気を供給する内部電源ハーネス４４と、を備えたパチンコ遊技機１であって、ベースドア部材３９の背面に内部電源ハーネス４４を通過させる通路２を設けたことを特徴とし、通路２はベースドア部材３９の背面に固定するためのフランジ部２０と、内部電源ハーネス４４を覆う外殻部２１と、からなるハーネスカバー３により形成される。【選択図】      図２
2004275587.tif 000002
【特許請求の範囲】
【請求項１】
外枠に対して開閉可能に設置されるベースドア部材と、該ベースドア部材の背面に配置された電源ユニットと、該電源ユニットに外部から電気を供給するための内部電源ハーネスとを備えたパチンコ遊技機であって、
前記ベースドア部材の背面に前記内部電源ハーネスを通過させる通路を設けたことを特徴とするパチンコ遊技機。
【請求項２】
前記内部電源ハーネスは、前記ベースドア部材の枢止側上部に設けられた中継コネクタ部から、前記ベースドア部材の開閉側下部に配置された電源ユニットまでの間に配設され、前記通路は少なくとも前記ベースドア部材の開閉側上部から下方向に渡って設けられることを特徴とする請求項１に記載のパチンコ遊技機。
【請求項３】
前記通路は板金製のハーネスカバーであることを特徴とする請求項１又は２に記載のパチンコ遊技機。
【請求項４】
前記通路には、電子部品が設置される台座が設けられていることを特徴とする請求項１乃至３に記載のパチンコ遊技機。
【請求項５】
外枠に対して開閉可能に設置されるベースドア部材の背面に配置された電源ユニットに、外部から電気を供給する内部電源ハーネスを通過させる通路を形成するハーネスカバーであって、
前記ベースドア部材の背面に固定するためのフランジ部と、前記内部電源ハーネスを覆う外殻部と、からなることを特徴とするパチンコ遊技機のハーネスカバー。
【請求項６】
前記フランジ部は前記外殻部の一部に形成されていることを特徴とする請求項５に記載のパチンコ遊技機のハーネスカバー。
【請求項７】
前記外殻部は断面コ字状のストレート部材であることを特徴とする請求項５又は６に記載のパチンコ遊技機のハーネスカバー。
【請求項８】
前記ハーネスカバーは板金製であることを特徴とする請求項５乃至７に記載のパチンコ遊技機のハーネスカバー。
【請求項９】
前記外殻部は一部が幅広に形成され、電子部品の台座として用いられることを特徴とする請求項５乃至８に記載のパチンコ遊技機のハーネスカバー。
【発明の詳細な説明】
【０００１】
【発明の属する技術分野】
本発明は、パチンコ遊技機及びハーネスカバーに関し、特にパチンコ遊技機背面の電子機器に電気を供給する内部電源ハーネスの配設構造の改良に関する。
【０００２】
【従来の技術】
従来、パチンコ遊技機背面には、種々の電子機器が配置されているとともに、これらの電子機器に対して電源を供給する内部電源ハーネス、及び電子機器から外部機器へ接続する外部端子が設けられている（例えば、特許文献１参照）。
【０００３】
図４は、従来のパチンコ遊技機の表面を示す斜視図である。図４に示すように、従来のパチンコ遊技機３０は、外枠３８にヒンジ軸４０を介して取付けられたベースドア部材３９から構成される。前記ベースドア部材３９は、パチンコ遊技機３０の設置や各種制御装置等のメンテナンスのために、遊技機島に取付けられた外枠４８に対して開閉自在に軸支されて取付けられている。なお、説明の都合上、以降、ヒンジ軸４０により取り付けられる側（図の左側）を「枢止側」、反対側（図の右側）を「開閉側」と呼ぶこととする。
【０００４】
図５は、従来のパチンコ遊技機の裏側を示す斜視図であり、図６は、その平面図である。図５及び図６に示すように、パチンコ遊技機３０の遊技盤裏側には、球補給タンク３１、中継コネクタ部３２、図柄制御装置３３、メイン制御装置３４、球払出装置３５、払出・発射制御装置３６、電源ユニット３７等の種々の部品がベースドア部材３９の背面に配置されている。
【０００５】
前記電源ユニット３７は、パチンコ遊技機３０の主電源であって、操作やメンテナンスの都合上、ベースドア部材３９の開閉側に設けられている。
【０００６】
前記中継コネクタ部３２は、外部電源からパチンコ遊技機３０の裏側に電気を中継するための端子が集約されたユニットである。この中継コネクタ部３２は、図７に拡大して示すように、電源ユニット３７に電気を供給する内部電源ハーネス４４が内部電源ハーネス中継端子４２に接続され、外部電源から電気を入力するための外部電源ハーネス４３が外部電源ハーネス中継端子４１に接続され、また、外部のホールコンピュータや頭上ランプ等の電飾装置に電源を中継するための外部中継端子４５が複数備えられている。この中継コネクタ部３２は、ベースドア部材３９の開閉時に、各ハーネスが引き出されないようにするために、ベースドア部材３９の枢止側に設けられている。
【０００７】
ここで、図６に示すように、電源ユニット３７は開閉側下部に、中継コネクタ部３２は枢止側上部に配置されることがある。このように電源ユニット３７と中継コネクタ部３２とが配置された場合、内部電源ハーネス４４は、例えば、中継コネクタ部３２から球補給タンク３１の上部に掛け渡されて、ベースドア部材３９の開閉側の外周付近を沿うようにして電源ユニット３７まで配設される。
【０００８】
【特許文献１】
特開２００１−１２９２１１号公報
【０００９】
【発明が解決しようとする課題】
ところが、内部電源ハーネス４４がベースドア部材３９の外周に沿うように配設されると、ベースドア部材３９の開閉時に内部電源ハーネス４４を挟み込んでしまい、内部電源ハーネス４４が断線してしまうという問題があった。
【００１０】
また、内部電源ハーネス４４が上下方向に配設される開閉側には、扉開閉センサー等の制御機器が遊技店側によって後付けされる場合があり、遊技機の設計時では予期しなかったこれらの後付け電機部品等が取付けられた結果、後付け電機部品自体、又は後付け部品に接続された配線が発熱する可能性が生じ、この発熱した配線との接触により内部電源ハーネス４４が溶融・発火したり、遊技機本体が損傷したりする惧れがあった。
【００１１】
そこで、本発明は、以上の問題点に鑑みてなされたもので、内部電源ハーネスの挟み込みを防止するとともに、内部電源ハーネスと、発熱する後付け電機部品との接触を防止することができるパチンコ遊技機及びそのハーネスカバーを提供するものである。
【００１２】
【課題を解決するための手段】
上記課題を解決するために、本発明のパチンコ遊技機では、開閉可能に設置されるベースドア部材と、ベースドア部材の背面に配置された電源ユニットと、電源ユニットに外部から電気を供給する内部電源ハーネスと、を備えたパチンコ遊技機であって、ベースドア部材の背面に内部電源ハーネスを通過させる通路を設けたことを特徴とする。
【００１３】
かかるパチンコ遊技機では、内部電源ハーネスを通過させる通路を設けたことにより、内部電源ハーネスを拘束しつつ他の部品から隔離した状態で保護することができる。したがって、内部電源ハーネスの挟み込みを防止するとともに、内部電源ハーネスと発熱する部品との接触を防止することができる。
【００１４】
本発明の実施形態によれば、内部電源ハーネスは、ベースドア部材の枢止側上部に設けられた中継コネクタ部から、ベースドア部材の開閉側下部に配置された電源ユニットまでの間に配設され、通路は少なくともベースドア部材の開閉側上部から下部に渡って設けられることが好ましい。実際に内部電源ハーネスが配設される状況に好適な通路の設置位置を特定したものである。
【００１５】
本発明の実施形態によれば、通路は板金製のハーネスカバーであることが好ましい。通路を板金製のハーネスカバーとすることで、通路の加工やベースドア部材背面への取り付けが容易となる。また、板金製とすることにより、製造、加工が容易となり製造コストの低減を図ることができるとともに、熱伝導率が高いことにより後付け電機部品の発熱に対する放熱効果を期待することができる。
【００１６】
本発明の実施形態によれば、前記ハーネスカバーには、電子部品が設置される台座が設けられていることが好ましい。これによれば、台座を、後付け電機部品を取付けるための基台として利用することができるとともに、台座部分を電子部品の放熱板としても利用することができる。
【００１７】
また、上記課題を解決するために、本発明のパチンコ遊技機のハーネスカバーでは、外枠に対して開閉可能に設置されるベースドア部材の背面に配置された電源ユニットに、外部から電気を供給する内部電源ハーネスを通過させる通路を形成するハーネスカバーであって、ベースドア部材の背面に固定するためのフランジ部と、内部電源ハーネスを覆う外殻部と、からなることを特徴とする。
【００１８】
かかるハーネスカバーにより、内部電源ハーネスを通過させる通路をベースドア部材背面に設けることができ、内部電源ハーネスを拘束しつつ他の部品から隔離した状態で保護することができる。したがって、内部電源ハーネスの挟み込みを防止するとともに、内部電源ハーネスと発熱部品との接触を防止することができる。
【００１９】
本発明の実施形態によれば、フランジ部は、外殻部の一部に形成されていることが好ましい。ハーネスカバーの設置に必要な部分にだけフランジ部を形成することにより、ハーネスカバーの軽量化を図ることができる。
【００２０】
本発明の実施形態によれば、外殻部は断面コ字状のストレート部材であることが好ましい。かかる構造により、ハーネスカバーの加工が容易となる。
【００２１】
本発明の実施形態によれば、ハーネスカバーは板金製であることが好ましい。ハーネスカバーを板金製とすることにより、ハーネスカバーの加工を容易かつ安価にすることができるとともに、熱伝導率が高いことにより後付け電機部品の発熱に対する放熱効果を期待することができる。
【００２２】
本発明の実施形態によれば、外殻部は一部が幅広に形成され、所定の電子部品の台座として用いられることが好ましい。かかる構造により、台座を、後付け電機部品を取付けるための基台として利用することができるとともに、台座部分を電子部品の放熱板としても利用することができる。
【００２３】
【発明の実施の形態】
以下、本発明の実施形態に係るパチンコ遊技機及びそのハーネスカバーについて、図１乃至図３を用いて詳細に説明する。ここで、図１は本実施形態に係るパチンコ遊技機の裏側を示す斜視図であり、図２はその平面図であり、図３は本実施形態に係るハーネスカバーを示す斜視図である。なお、パチンコ遊技機の裏側の主な構造については、図５及び図６に示すものと同様であるので、その詳細な説明を省略する。
【００２４】
図１及び図２に示すように、本発明の実施形態に係るパチンコ遊技機１において、電源ユニット３７は開閉側下部に、中継コネクタ部３２は枢止側上部に配置されている。このような配置の場合、内部電源ハーネス４４は、まず中継コネクタ部３２からベースドア部材３９の開閉側に配設され、ベースドア部材３９の角部で下方に曲げられて電源ユニット３７まで延設されるのが通常である。
【００２５】
しかし、本発明のパチンコ遊技機１では、内部電源ハーネス４４がベースドア部材３９の角部で下方に曲げられてから電源ユニット３７まで延設される箇所に、内部電源ハーネス４４を通過させる真直な通路２が設けられている。この通路２は内部電源ハーネス専用の通路であって、他のハーネスや電子機器とは隔離される。
【００２６】
この通路２を設けたことにより、ベースドア部材３９の開閉時であっても内部電源ハーネス４４の動きを拘束することができ、かつ、他の部品から隔離した状態で内部電源ハーネス４４を保護することができる。その結果、内部電源ハーネス４４の挟み込みを防止するとともに、内部電源ハーネス４４と発熱する後付け部品との接触を防止することができる。
【００２７】
ここで、中継コネクタ部３２からベースドア部材３９の上部開閉側（図２中球補給タンク３１上部近傍）に、内部電源ハーネス４４の通路を設けていないのは、この部分の内部電源ハーネス４４は重力により下方に垂れるため、ベースドア部材３９の開閉時であっても挟み込まれる可能性が低いからであるが、構造上の制約がなければ、この部分に内部電源ハーネス４４の通路を設けるようにしてもよい。また、内部電源ハーネスは、球補給タンク３１と図柄制御装置３３との隙間を通過させることもできる。この場合には、球補給タンク３１と図柄制御装置３３との隙間に沿った通路を設けるようにしてもよい。内部電源ハーネス４４の挟み込みを防止する必要性はないが、他の発熱部品との接触を防止する必要性があるからである。
【００２８】
この通路２は、ハーネスカバー３をベースドア部材３９の背面にネジ（図示せず）で固定することにより形成される。このように別部品であるハーネスカバー３をベースドア部材３９の背面に固定することにより、内部電源ハーネス４４の通路２を形成しているので、現在使用されているパチンコ遊技機にも容易に通路２を形成することができる。
【００２９】
このハーネスカバー３は、図３に示すように、ベースドア部材背面に固定されるフランジ部２０と、内部電源ハーネス４４の通路２を形成する外殻部２１とからなる。
【００３０】
フランジ部２０は、外殻部２１の両側面の全面に渡って設けるようにしてもよいが、図３に示すように、外殻部２１の両側面の一部に形成するようにするとよい。ハーネスカバー３の設置に必要な部分にだけフランジ部２０を形成することにより、ハーネスカバー３の軽量化を図ることができる。また、各フランジ部２０には、ベースドア部材３９の背面に固定するためのネジ孔２２が穿設されている。
【００３１】
外殻部２１は、図３に示すように、ここでは断面がコ字状のストレート部材を使用している。これは、ハーネスカバー３の加工性を考慮したものであるが、この形状に限定される訳ではなく、内部電源ハーネス４４の通路２が形成される形状であれば、Ｃ字状であっても、く字状であってもよいことは勿論である。なお、外殻部２１の両側面の一部は切り欠かれ、軽量化が図られている。
【００３２】
また、外殻部２１の略中央部には幅広に形成された台座部２３が設けられている。この台座部２３には、複数のネジ孔２４が穿設されており、ベースドア部材３９の開閉センサーやその他の電子部品が設置できるようになっている。このように、センサー等の発熱部品をハーネスカバー３上に設置することで、ハーネスカバー３を放熱板としても利用することができる。
【００３３】
このハーネスカバー３は板金製であり、鉄、アルミ、ステンレス等の板金が用いられる。ハーネスカバー３を板金製とすることにより、ハーネスカバーの加工を容易かつ安価にすることができる。
【００３４】
【発明の効果】
以上説明したように、本発明のパチンコ遊技機及びそのハーネスカバーによれば、内部電源ハーネスを通過させる通路をベースドア部材背面に設けることにより、該内部電源ハーネスを拘束しつつ他の部品から隔離した状態で保護することができる。これによって、内部電源ハーネスの挟み込みを防止するとともに、内部電源ハーネスと発熱部品との接触を防止することができる。
【図面の簡単な説明】
【図１】本実施形態に係るパチンコ遊技機の裏側を示す斜視図である。
【図２】本実施形態に係るパチンコ遊技機の裏側を示す平面図である。
【図３】本実施形態に係るハーネスカバーを示す斜視図である。
【図４】従来のパチンコ遊技機の表側を示す斜視図である。
【図５】従来のパチンコ遊技機の裏側を示す斜視図である。
【図６】従来のパチンコ遊技機の裏側を示す平面図である。
【図７】従来の中継コネクタ部を拡大して示す平面図である。
【符号の説明】
１…パチンコ遊技機
２…通路
３…ハーネスカバー
２０…フランジ部
２１…外殻部
２２…ネジ孔
２３…台座部
２４…ネジ孔
３０…パチンコ遊技機
３１…球補給タンク
３２…中継コネクタ部
３３…図柄制御装置
３４…メイン制御装置
３５…球払出装置
３６…払出・発射制御装置
３７…電源ユニット
３８…外枠
３９…ベースドア部材
４０…ヒンジ軸
４１…外部電源ハーネス中継端子
４２…内部電源ハーネス中継端子
４３…外部電源ハーネス
４４…内部電源ハーネス
４５…外部中継端子
【図１】
2004275587.tif 000003
【図２】
2004275587.tif 000004
【図３】
2004275587.tif 000005
【図４】
2004275587.tif 000006
【図５】
2004275587.tif 000007
【図６】
2004275587.tif 000008
【図７】
2004275587.tif 000009